(57)【要約】【課題】  小型で遊戯性の高い立体迷路式であって安全性が確保された遊戯装置を提供する。【解決手段】  遊戯者の進行する通路Ｒが三次元で不規則的に変化する立体迷路式である。直交して横方向に配設されて複数段に組まれ各端部にテンションを調整するテンション調整具１３が取付けられた横軸ロープ１と、横軸ロープ１の交点に沿って上下方向に配設され各端部にテンションを調整するテンション調整具２３が取付けられた縦軸ロープ２と、横軸ロープ１と縦軸ロープ２とに囲まれる複数の面の一部の面を透視可能な材料で閉鎖して通路Ｒを構成する壁材３とからなる。【選択図】  図１
2017213105.tif 000002
【特許請求の範囲】
【請求項１】
遊戯者の進行する通路が三次元で不規則的に変化する立体迷路式の遊戯装置において、直交して横方向に配設されて複数段に組まれ各端部にテンションを調整するテンション調整具が取付けられた横軸ロープと、横軸ロープの交点に沿って上下方向に配設され各端部にテンションを調整するテンション調整具が取付けられた縦軸ロープと、横軸ロープと縦軸ロープとに囲まれる複数の面の一部の面を透視可能な材料で閉鎖して通路を構成する壁材とからなることを特徴とする遊戯装置。
【請求項２】
請求項１の遊戯装置において、壁材の一部は外部からのみ開放可能な非常口とされていることを特徴とする遊戯装置。
【請求項３】
請求項１または２の遊戯装置について、横軸ロープと縦軸ロープと壁材とからなる全体構造体を予め製造しておき、全体構造体を設置場所に運搬して、設置場所で横軸ロープと縦軸ロープとを横方向，縦方向に配設してテンション調整具によってテンションを調整することを特徴とする遊戯装置の設置方法。
【請求項４】
請求項１または２の遊戯装置について、横軸ロープと縦軸ロープとからなる部分構造体を予め製造しておき、部分構造体を設置場所に運搬して、設置場所で横軸ロープと縦軸ロープとを横方向，縦方向に配設してテンション調整具によってテンションを調整してから壁材を取り付けることを特徴とする遊戯装置の設置方法。
【発明の詳細な説明】
【技術分野】
【０００１】
本発明は、遊戯者の進行する通路が三次元で不規則的に変化する立体迷路式の遊戯装置に係る技術分野に属する。
【背景技術】
【０００２】
最近、遊戯性が高く遊園地，イベント会場、幼稚園、保育園等で安価に設置することのできる遊戯装置として、立体迷路式からなるものが着目されている。
【０００３】
立体迷路式の遊戯装置は、三次元で不規則的に変化する通路が構成され、通路を進行する遊戯者に進路の混乱をもたらせるものである。即ち、遊戯者に進路の選択，判断という知的作業を前提として通路の進行という運動を行なわせることで、遊戯性を発揮するものである。従って、遊戯性をより高めようとして通路を長く，複雑に確保しようとすると、大型化して設置場所が制約されてしまうという不具合が生じることになる。このため、場所を取らない小型で遊戯性の高い立体迷路式の遊戯装置の開発が要望されている。
【０００４】
従来、小型で遊戯性の高い立体迷路式の遊戯装置としては、例えば、特許文献１に記載のものが知られている。
【０００５】
特許文献１には、遊戯者の進行する通路が三次元で不規則的に変化する立体迷路式であって、通路を囲む壁面が透視可能とされた遊戯装置が記載されている。
【０００６】
特許文献１に係る遊戯装置は、遊戯者に進行する通路以外の通路を透視させ遊戯者の進路の混乱を増幅させることで、遊戯性を高めようとするものである。
【先行技術文献】
【特許文献】
【０００７】
【特許文献１】実開平４−５５４００号公報
【発明の概要】
【発明が解決しようとする課題】
【０００８】
特許文献１に係る遊戯装置では、通路を囲む壁面が支柱に支持されているため、遊戯者が支柱に接触する等のおそれがあり、また迷路は横方向、縦方向にも有って迷った遊技者が容易に正しい通路に戻れないなど、幼少児を含めた安全性が確保されないという問題点がある。
【０００９】
本発明は、このような問題点を考慮してなされたもので、小型で遊戯性の高い立体迷路式であって安全性が確保された遊戯装置と、この遊戯装置の好適な設置方法とを提供することを課題とする。
【課題を解決するための手段】
【００１０】
前述の課題を解決するため、本発明に係る遊戯装置は、特許請求の範囲の請求項１，２に記載の手段を採用する。
【００１１】
即ち、請求項１では、遊戯者の進行する通路が三次元で不規則的に変化する立体迷路式の遊戯装置において、直交して横方向に配設されて複数段に組まれ各端部にテンションを調整するテンション調整具が取付けられた横軸ロープと、横軸ロープの交点に沿って上下方向に配設され各端部にテンションを調整するテンション調整具が取付けられた縦軸ロープと、横軸ロープと縦軸ロープとに囲まれる複数の面の一部の面を透視可能な材料で閉鎖して通路を構成する壁材とからなることを特徴とする。
【００１２】
この手段では、テンション調整具を有する横軸ロープ，縦軸ロープに壁材が取付けられていることで、壁材が直接的に支柱等に支持されることがなくしかも横軸ロープ，縦軸ロープによって全体的にクッション性が備えられる。
【００１３】
また、請求項２では、請求項１の遊戯装置において、壁材の一部は外部からのみ開放可能な非常口とされていることを特徴とする。
【００１４】
この手段では、外部からのみ開放可能な非常口が設けられることで、進行不能になった遊戯者（特に幼少児）を係員が速やかに救助することができる。
【００１５】
さらに、前述の課題を解決するため、本発明に係る遊戯装置の設置方法は、特許請求の範囲の請求項３，４に記載の手段を採用する。
【００１６】
即ち、請求項３では、請求項１または２の遊戯装置について、横軸ロープと縦軸ロープと壁材とからなる全体構造体を予め製造しておき、全体構造体を設置場所に運搬して、設置場所で横軸ロープと縦軸ロープとを横方向，縦方向に配設してテンション調整具によってテンションを調整することを特徴とする。
【００１７】
この手段では、横軸ロープ，縦軸ロープ，壁材からなる全体構造体を予め工場等で製造おき、設置場所である現場で横軸ロープ，縦軸ロープを配設してテンションを調整することで、現場簡易組立的な設置手段が採られる。
【００１８】
また、請求項４では、請求項１または２の遊戯装置について、横軸ロープと縦軸ロープとからなる部分構造体を予め製造しておき、部分構造体を設置場所に運搬して、設置場所で横軸ロープと縦軸ロープとを横方向，縦方向に配設してテンション調整具によってテンションを調整してから壁材を取り付けることを特徴とする。
【００１９】
この手段では、横軸ロープ，縦軸ロープからなる部分構造体を予め工場等で製造おき、設置場所である現場で横軸ロープ，縦軸ロープを配設してテンションを調整してから壁材を取り付けすることで、現場対応組立的な設置手段が採られる。
【発明の効果】
【００２０】
本発明に係る遊戯装置は、テンション調整具を有する横軸ロープ，縦軸ロープに壁材が取付けられていることで、壁材が直接的に支柱等に支持されることがなくしかも横軸ロープ，縦軸ロープによって全体的にクッション性が備えられるため、小型で遊戯性の高い立体迷路式であって安全性が確保されるという効果がある。
【００２１】
また、請求項２として、外部からのみ開放可能な非常口が設けられることで、進行不能になった遊戯者を係員が救助することができるため、安全性がより確保されるという効果がある。
【００２２】
さらに、本発明に係る遊戯装置の設置方法は、請求項３として、横軸ロープ，縦軸ロープ，壁材からなる全体構造体を予め工場等で製造おき、設置場所である現場で横軸ロープ，縦軸ロープを配設してテンションを調整することで、現場簡易組立的な設置手段が採られるため、設置を迅速に行うことができる効果がある。
【００２３】
さらに、請求項４として、横軸ロープ，縦軸ロープからなる部分構造体を予め工場等で製造おき、設置場所である現場で横軸ロープ，縦軸ロープを配設してテンションを調整してから壁材を取り付けすることで、現場対応組立的な設置手段が採られるため、設置場所に対応して通路の長さ，複雑さを調整することができる効果がある。
【図面の簡単な説明】
【００２４】
【図１】本発明に係る遊戯装置およびその設置方法を実施するための形態の設置例を示す斜視図である。
【図２】図１の要部の拡大断面図である。
【図３】図１の製造例を示す斜視図である。
【図４】図３に続く製造工程を示す斜視図である。
【図５】図４に続く製造工程を示す斜視図である。
【図６】図５に続く製造工程を示す斜視図である。
【発明を実施するための形態】
【００２５】
以下、本発明に係る遊戯装置およびその設置方法を実施するための形態を図面に基づいて説明する。
【００２６】
まず、本発明に係る遊戯装置を実施するための形態を説明する。
【００２７】
この形態では、図１に示すように、支柱Ｐを利用して設置されたものを示してある。
【００２８】
支柱Ｐは、図２に示すように、枠形に組まれたパイプ材Ｐａの内側に突出して掛金Ｐｂが設けられている。
【００２９】
この形態は、横軸ロープ１，縦軸ロープ２，壁材３からなる。
【００３０】
横軸ロープ１は、屋外設置を考慮して耐候性を有する繊維を撚った強靱な太径のロープからなるロープ本体１１と、ロープ本体１１の両端部に取付けられ支柱Ｐの掛金Ｐｂに係合離脱が可能なフック１２と、ロープ本体１１の両端部のフック１２よりも手前に取付けられロープ本体１１のテンションを調整するテンション調整具１３とからなる。テンション調整具１３は、図２に詳細に示されるように、ターンバックル形の調整具本体１３ａと、調整具本体１３ａを覆うカバー１３ｂとからなる。この横軸ロープ１は、直交して横方向に配設（図３）されて複数段に組まれ（図４）ている。
【００３１】
縦軸ロープ２は、屋外設置を考慮して耐候性を有する繊維を撚った強靱な太形のロープからなるロープ本体２１と、ロープ本体２１の両端部に取付けられ支柱Ｐの掛金Ｐｂに係合離脱が可能なフック２２と、ロープ本体２１の両端部のフック２２よりも手前に取付けられロープ本体２１のテンションを調整するテンション調整具２３とからなる。テンション調整具２３は、図２に詳細に示されるように、ターンバックル形の調整具本体２３ａと、調整具本体２３ａを覆うカバー１３ｂとからなる。この縦軸ロープ２は、図５に示すように、横軸ロープ１の交点に沿って上下方向に配設されている。
【００３２】
これ等の横軸ロープ１，縦軸ロープ２については、必要に応じて交点において細径のロープ材で結束したりして固定される。
【００３３】
壁材３は、屋外設置を考慮して耐候性を有する繊維を撚った強靱な細径のロープを格子状に編んだもの（例えば、アスレチックネット）で、横軸ロープ１と縦軸ロープ２とに囲まれる複数の面の一部の面を閉鎖して遊戯者が進行する通路Ｒを構成する。従って、閉鎖される面を適宜選択することによって、遊戯者が進行する通路Ｒが三次元で不規則的に変化させることができる。横軸ロープ１，縦軸ロープ２への取付け手段については、特に制約はない。この壁材３は、遊戯者が外部を透視可能であるとともに、遊戯装置の管理者である係員も内部（遊戯者）を透視可能である。また、当然ながら、壁材３で閉鎖されない通路Ｒの入口，出口が設けられる。なお、遊戯装置外周の壁材３の一部は、外部からのみ開放可能な非常口Ｅとされている。
【００３４】
次に、本発明に係る遊戯装置の設置方法を実施するための形態を説明する。
【００３５】
第１例としては、横軸ロープ１，縦軸ロープ２，壁材３からなる全体構造体（図６参照）を予め工場等で製造しておき、折畳んで設置場所まで搬送し設置場所で展開させ、横軸ロープ１，縦軸ロープ２のフック１２，２２を支柱Ｐの掛金Ｐｂに係止させテンション調整具１３，２３で横軸ロープ１，縦軸ロープ２のテンションを調整することで、設置を完了させる。
【００３６】
第１例によると、現場簡易組立的な設置手段が採られるため、設置を迅速に行うことができる。
【００３７】
第２例としては、横軸ロープ１，縦軸ロープ２からなる部分構造体（図５参照）を予め工場等で製造しておき、折畳んで設置場所まで搬送し設置場所で展開させ、横軸ロープ１，縦軸ロープ２のフック１２，２２を支柱Ｐの掛金Ｐｂに係止させテンション調整具１３，２３で横軸ロープ１，縦軸ロープ２のテンションを調整した後、壁材３を取り付けることで、設置を完了させる。
【００３８】
第２例によると、現場対応組立的な設置手段が採られるため、設置場所に対応して通路の長さ，複雑さを調整することができる。
【００３９】
設置された本発明に係る遊戯装置では、壁材３が特許文献１に記載のように直接的に支柱Ｐに支持されているわけではないため、遊戯者が支柱Ｐに接触する等のおそれがなく、安全性が確実に確保される。また、壁材３が横軸ロープ１，縦軸ロープ２に支持されていて全体的にクッション性が備えられるため、安全性がより確実に確保される。従って、小型で遊戯性の高い立体迷路式であって安全性が確保されるという課題が解決されることになる。
【００４０】
さらに、非常口Ｅが設けられているため、進行不能になった遊戯者を、壁材３を透視して発見した係員が救助することができ、安全性の確保がより確実になる。なお、非常口Ｅが外部からのみ開放可能であるため、迷路内の遊戯者による危険ないたずら例えば壁材を取り外すなどの行為を防止することができる。
【００４１】
以上、図示した形態の外に、横軸ロープ１，縦軸ロープ２のテンション調整具１３，２３については、横軸ロープ１，縦軸ロープ２の一方の端部にのみ取付けることも可能である。
【００４２】
さらに、森林等での木の枝や建屋の柱等を利用して設置することも可能であり、横軸ロープ１，縦軸ロープ２のフック１２，２２を紐やクランプ等とすることも可能である。  
【００４３】
さらに、壁材３について、スリット板等を選択することも可能である。
【符号の説明】
【００４４】
１            横軸ロープ
１３          テンション調整具
２            縦軸ロープ
２３          テンション調整具
３            壁材
Ｅ            非常口
Ｒ            通路
【図１】
2017213105.tif 000003
【図２】
2017213105.tif 000004
【図３】
2017213105.tif 000005
【図４】
2017213105.tif 000006
【図５】
2017213105.tif 000007
【図６】
2017213105.tif 000008